(57)【要約】【課題】  補間対象画素の画素値の誤補間を抑制し得る画像伸張装置及び画像伸張方法を提供する。【解決手段】  画像伸張装置は、ブロック相関演算部６、ブロック相関演算部７及び斜め補間部５を備えている。ブロック相関演算部６（７）は、補間対象画素に対して互いに反対側に位置し、且つ補間対象画素から略等距離に位置する１対の実画素のそれぞれを含む３行３列（１行３列）の画素ブロック間の相関度を演算して、その相関度が最も高くなる画素ブロックのそれぞれに含まれる１対の実画素を基画素として検出する。斜め補間部５は、ブロック相関演算部６によって検出された基画素の画素値に基づいて補間対象画素の画素値を演算し、ブロック相関演算部６によって検出された基画素が垂直方向に位置する場合に限り、ブロック相関演算部７によって検出された基画素の画素値に基づいて補間対象画素の画素値を演算する。【選択図】  図２
2010010951.tif 000002
【特許請求の範囲】
【請求項１】
補間対象画素の両側に延在する１対の実画素ライン上において、前記補間対象画素に対して互いに反対側に位置し、且つ前記補間対象画素から略等距離に位置する１対の実画素のそれぞれを含む第１の画素ブロック間の第１の相関度を演算して、前記第１の相関度が最も高くなる前記第１の画素ブロックのそれぞれに含まれる１対の前記実画素を第１の基画素として検出する第１の相関演算手段と、
１対の前記実画素のそれぞれを含む第２の画素ブロック間の第２の相関度を演算して、前記第２の相関度が最も高くなる前記第２の画素ブロックのそれぞれに含まれる１対の前記実画素を第２の基画素として検出する第２の相関演算手段と、
前記第１の相関演算手段によって検出された前記第１の基画素の画素値、又は前記第２の相関演算手段によって検出された前記第２の基画素の画素値に基づいて、前記補間対象画素の画素値を演算する補間演算手段とを備え、
前記実画素ラインに平行な方向を行方向とし、前記実画素ラインに垂直な方向を列方向とすると、前記第１の画素ブロックは、複数行、且つ複数列の画素群であり、前記第２の画素ブロックは、前記第１の画素ブロックよりも少ない数の行、且つ複数列の画素群であり、
前記補間演算手段は、前記第１の相関演算手段によって検出された前記第１の基画素が前記実画素ラインに垂直な方向に位置する場合には、前記第２の相関演算手段によって検出された前記第２の基画素の画素値に基づいて、前記補間対象画素の画素値を演算する画像伸張装置。
【請求項２】
前記第２の画素ブロックは、１行、且つ複数列の画素群である請求項１記載の画像伸張装置。
【請求項３】
前記第１及び前記第２の画素ブロックは、１対の前記実画素のそれぞれを中心とする矩形状の画素群である請求項１又は２記載の画像伸張装置。
【請求項４】
前記補間演算手段によって演算された画素値を有する前記補間対象画素を含んで構成された画像を表示する表示パネルを備える請求項１〜３のいずれか一項記載の画像伸張装置。
【請求項５】
補間対象画素の両側に延在する１対の実画素ライン上において、前記補間対象画素に対して互いに反対側に位置し、且つ前記補間対象画素から略等距離に位置する１対の実画素のそれぞれを含む第１の画素ブロック間の第１の相関度を演算して、前記第１の相関度が最も高くなる前記第１の画素ブロックのそれぞれに含まれる１対の前記実画素を第１の基画素として検出し、
１対の前記実画素のそれぞれを含む第２の画素ブロック間の第２の相関度を演算して、前記第２の相関度が最も高くなる前記第２の画素ブロックのそれぞれに含まれる１対の前記実画素を第２の基画素として検出し、
前記第１の基画素の画素値、又は前記第２の基画素の画素値に基づいて、前記補間対象画素の画素値を演算し、
前記実画素ラインに平行な方向を行方向とし、前記実画素ラインに垂直な方向を列方向とすると、前記第１の画素ブロックは、複数行、且つ複数列の画素群であり、前記第２の画素ブロックは、前記第１の画素ブロックよりも少ない数の行、且つ複数列の画素群であり、
前記第１の基画素が前記実画素ラインに垂直な方向に位置する場合には、前記第２の基画素の画素値に基づいて、前記補間対象画素の画素値を演算する画像伸張方法。
【発明の詳細な説明】
【技術分野】
【０００１】
本発明は、画素値を補間して画像を伸張する画像伸張装置及び画像伸張方法に関する。
【背景技術】
【０００２】
例えばデジタルテレビ装置の内部において、デジタル画像を拡大する画像伸張装置が用いられている。このような画像伸張装置では、既にある画素ラインの間に新たな画素ラインを生成することで、デジタル画像を拡大する。新たな画素ラインを生成する際に、画像伸張装置は、既にある画素の画素値を利用して、新たに生成する画素の画素値を補間する。
【０００３】
このような画像伸張装置の一例として、特許文献１には、複数の入力画素が含まれる入力画像を基に、対象位置に補間画素を生成する補間画素生成装置が開示されている。より具体的には、この補間画素生成装置は、入力画像を基に、対象位置から見た複数の方向のそれぞれについて、対象位置を含む範囲の自己相関値を算出して、自己相関値が最大である方向を検出し、入力画像を基に、自己相関値が最大である方向に対応した補間フィルタを用いて補間画素を生成する。
【特許文献１】特開２００７−６０１０４号公報
【発明の開示】
【発明が解決しようとする課題】
【０００４】
新たに生成する画素の画素値を、その画素の斜め方向にある画素の画素値で補間する場合には、画素値の誤補間が発生してしまうことがある。特に、画像中においてエッジ線が斜めに延びており、そのエッジ線の傾角が大きい場合には、エッジ線にギザギザ（いわゆるジャギー）が発生してしまうことがある。
【０００５】
本発明は、このような事情に鑑みてなされたものであり、補間対象画素の画素値の誤補間を抑制することができる画像伸張装置及び画像伸張方法を提供することを目的とする。
【課題を解決するための手段】
【０００６】
上記目的を達成するために、本発明に係る画像伸張装置は、補間対象画素の両側に延在する１対の実画素ライン上において、補間対象画素に対して互いに反対側に位置し、且つ補間対象画素から略等距離に位置する１対の実画素のそれぞれを含む第１の画素ブロック間の第１の相関度を演算して、第１の相関度が最も高くなる第１の画素ブロックのそれぞれに含まれる１対の実画素を第１の基画素として検出する第１の相関演算手段と、１対の実画素のそれぞれを含む第２の画素ブロック間の第２の相関度を演算して、第２の相関度が最も高くなる第２の画素ブロックのそれぞれに含まれる１対の実画素を第２の基画素として検出する第２の相関演算手段と、第１の相関演算手段によって検出された第１の基画素の画素値、又は第２の相関演算手段によって検出された第２の基画素の画素値に基づいて、補間対象画素の画素値を演算する補間演算手段とを備え、実画素ラインに平行な方向を行方向とし、実画素ラインに垂直な方向を列方向とすると、第１の画素ブロックは、複数行、且つ複数列の画素群であり、第２の画素ブロックは、第１の画素ブロックよりも少ない数の行、且つ複数列の画素群であり、補間演算手段は、第１の相関演算手段によって検出された第１の基画素が実画素ラインに垂直な方向に位置する場合には、第２の相関演算手段によって検出された第２の基画素の画素値に基づいて、補間対象画素の画素値を演算する画像伸張装置である。
【０００７】
また、本発明に係る画像伸張方法は、補間対象画素の両側に延在する１対の実画素ライン上において、補間対象画素に対して互いに反対側に位置し、且つ補間対象画素から略等距離に位置する１対の実画素のそれぞれを含む第１の画素ブロック間の第１の相関度を演算して、第１の相関度が最も高くなる第１の画素ブロックのそれぞれに含まれる１対の実画素を第１の基画素として検出し、１対の実画素のそれぞれを含む第２の画素ブロック間の第２の相関度を演算して、第２の相関度が最も高くなる第２の画素ブロックのそれぞれに含まれる１対の実画素を第２の基画素として検出し、第１の基画素の画素値、又は第２の基画素の画素値に基づいて、補間対象画素の画素値を演算し、実画素ラインに平行な方向を行方向とし、実画素ラインに垂直な方向を列方向とすると、第１の画素ブロックは、複数行、且つ複数列の画素群であり、第２の画素ブロックは、第１の画素ブロックよりも少ない数の行、且つ複数列の画素群であり、第１の基画素が実画素ラインに垂直な方向に位置する場合には、第２の基画素の画素値に基づいて、補間対象画素の画素値を演算する画像伸張方法である。
【発明の効果】
【０００８】
本発明によれば、補間対象画素の画素値の誤補間を抑制することができる。
【発明を実施するための最良の形態】
【０００９】
以下、本発明の好適な実施形態について、図面を参照して詳細に説明する。なお、各図において同一又は相当部分には同一符号を付し、重複する説明を省略する。
［画像伸張装置の構成］
【００１０】
図１は、本発明に係る画像伸張装置の一実施形態の構成を示すブロック図である。図１に示されるように、画像伸張装置１は、入力画像を取り込んで、入力画像を水平方向及び垂直方向に伸張してから、伸張された画像を出力画像として出力する。画像伸張装置１は、入力画像を水平方向に２倍に伸張する水平２倍スケーリング部２、及び入力画像を垂直方向に２倍に伸張する垂直２倍スケーリング部３を備えている。
【００１１】
図２は、図１の画像伸張装置の垂直２倍スケーリング部の構成を示すブロック図である。垂直２倍スケーリング部３は、上下補間部４、斜め補間部（補間演算手段）５、３×３ブロック相関演算部（第１の相関演算部）６、３×１ブロック相関演算部（第２の相関演算部）７、画素選択部８及びライン選択部９を有している。
【００１２】
例えば、図３に示される入力画像１００が画像伸張装置１に入力されると、水平２倍スケーリング部２は、既にある垂直画素ラインの間に新たな垂直画素ラインを生成する。水平２倍スケーリング部２により変換された入力画像は、図４に示される通りである。次に、垂直２倍スケーリング部３は、実線で示される既存の水平画素ライン（実画素ライン）Ｌａの間に、破線で示される新たな水平画素ライン（補間ライン）Ｌｉを生成する。
【００１３】
本実施形態では、垂直２倍スケーリング部３は、補間対象画素１１０の上下方向にある少なくとも１つの画素（実画素）の画素値（輝度値）に基づいて補間対象画素１１０の画素値を補間する上下方向補間と、補間対象画素１１０の斜め方向にある少なくとも１つの画素（実画素）の画素値に基づいて補間対象画素１１０の画素値を補間する斜め方向補間と、を併用している。なお、本実施形態では、各画素の画素値は輝度値であるが、各画素の画素値は色値であってもよい。
［上下補間処理］
【００１４】
図５〜図７を参照して、垂直２倍スケーリング部３により実行される上下補間処理について説明する。上下補間処理は、垂直２倍スケーリング部３の上下補間部４により実行される。
【００１５】
図５に示されるように、上下補間処理では、補間対象画素１１０の輝度値が、その上側の画素の輝度値Ｐｕ及びその下側の画素の輝度値Ｐｄを用いて補間される。具体的には、補間対象画素１１０の輝度値は、その上側の画素の輝度値Ｐｕ及びその下側の画素の輝度値Ｐｄに基づいて、線形補間や３次畳込み補間などの補間方法により求められる。
【００１６】
図４に示される入力画像は、理想的には図６に示されるように補間されて、高輝度領域と低輝度領域との間のエッジ線が明瞭となることが好ましい。しかし、上述した上下補間のみを行った場合には、図７に示されるように、補間対象画素１１０の輝度値は中間的な輝度値となり、高輝度領域と低輝度領域との間のエッジ線がギザギザな画像となってしまう。ちなみに、このギザギザのエッジ線は、ジャギーと呼ばれている。このようなジャギーを抑制してより理想的に補間するために、本実施形態では、上下補間及び斜め補間が併用されている。
［斜め補間処理１］
【００１７】
図８〜図１３を参照して、垂直２倍スケーリング部３により実行される斜め補間処理１について説明する。斜め補間処理１は、垂直２倍スケーリング部３の斜め補間部５及び３×３ブロック相関演算部６により実行される。
【００１８】
斜め補間処理１では、図８に示されるように、補間対象画素１１０の上側に並ぶ１１画素の輝度値Ｐｕ１〜Ｐｕ１１、及び補間対象画素１１０の下側に並ぶ１１画素の輝度値Ｐｄ１〜Ｐｄ１１が利用されて、補間対象画素１１０の輝度値が補間される。
【００１９】
ブロック相関演算部６は、相関度が最大となる２つの画素ブロックを１１方向において探索する。すなわち、図９に示されるように、ブロック相関演算部６は、補間対象画素１１０から見て左斜め上側の画素ブロック（第１の画素ブロック）１２０と、補間対象画素１１０から見て右斜め下側の画素ブロック（第１の画素ブロック）１３０とを設定する。そして、図１０に示されるように、ブロック相関演算部６は、画素ブロック１２０を、破線で示される画素ブロック１２０の位置まで水平方向にシフトさせると共に、画素ブロック１３０を、破線で示される画素ブロック１３０の位置まで水平方向にシフトさせる。
【００２０】
画素ブロック１２０及び画素ブロック１３０をシフトさせる際に、画素ブロック１２０及び画素ブロック１３０は、１１方向において、補間対象画素１１０を基準として互いに反対方向にあり、且つ、補間対象画素１１０から等距離にある関係を維持している。ブロック相関演算部６は、シフトされた１１方向の各位置において、画素ブロック１２０及び画素ブロック１３０の相関度を算出し、画素ブロック１２０及び画素ブロック１３０の相関度が最大となる位置を探索する。この結果、図１１に示されるように、ブロック相関演算部６は、画素ブロック１２０及び画素ブロック１３０の相関度が最大となる位置を決定する。ブロック相関演算部６は、決定された画素ブロック１２０及び画素ブロック１３０の方向の情報を、相関ベクトルとして斜め補間部５に出力する。
【００２１】
なお、ブロック相関演算部６は、画素ブロック１２０及び画素ブロック１３０において対応する位置関係にある２つの画素（例えば、上段中央に位置する画素同士、中段右側に位置する画素同士、或いは下段左側に位置する画素同士等）の輝度値の差分を、画素ブロック１２０及び画素ブロック１３０の全て画素について算出し、算出された全ての差分の絶対値を加算する。そして、この差分の絶対値の総和が最小となる場合が、画素ブロック１２０，１３０間の相関度が最も高くなる場合である。
【００２２】
斜め補間部５は、ブロック相関演算部６により演算された相関ベクトルを利用して、画素ブロック１２０及び画素ブロック１３０の位置を特定する。そして、斜め補間部５は、相関度が最大となる画素ブロック１２０及び画素ブロック１３０の輝度値を利用して、補間対象画素１１０の輝度値を補間する。具体的には、図１２に示されるように、斜め補間部５は、画素ブロック１２０の中心の画素の輝度値Ｐｕ７及び画素ブロック１３０の中心の画素の輝度値Ｐｄ７の平均値を、補間対象画素１１０の輝度値として算出する。なお、図１３に示されるように、エッジ線の傾角が小さい場合にも、相関度を演算する水平方向の範囲を広くすることで、補間対象画素１１０の輝度値を補間することができる。
【００２３】
以上説明したように、３×３ブロック相関演算部６は、補間対象画素１１０の両側に延在する１対の水平画素ラインＬａ上において、補間対象画素１１０に対して互いに反対側に位置し、且つ補間対象画素１１０から略等距離に位置する１対の実画素のそれぞれを含む画素ブロック１２０，１３０間の相関度を１１方向において演算して、その相関度が最も高くなる画素ブロック１２０，１３０のそれぞれに含まれる１対の実画素（上述した例では、輝度値Ｐｕ７を有する画素及び輝度値Ｐｄ７を有する画素）を基画素として検出する。そして、斜め補間部５は、３×３ブロック相関演算部６によって検出された基画素の輝度値（上述した例では、輝度値Ｐｕ７及び輝度値Ｐｄ７）に基づいて、補間対象画素１１０の輝度値を演算する。
【００２４】
なお、画素ブロック１２０，１３０は、水平方向を行方向とし、垂直方向を列方向とすると、３行３列の画素群であり、補間対象画素１１０の両側に延在する１対の水平画素ラインＬａに含まれる各実画素を中心とする矩形状の画素群である。
［斜め補間処理２］
【００２５】
図１４〜図２１を参照して、垂直２倍スケーリング部３により実行される斜め補間処理２について説明する。斜め補間処理２は、垂直２倍スケーリング部３の斜め補間部５及び３×１ブロック相関演算部７により実行される。
【００２６】
例えば、図１４に示されるように、入力画像において斜めに延びたエッジ線の傾角が大きい場合には、上述した斜め補間処理１ではエッジ線にジャギーが発生してしまうことがある。図１５は、図１４の画像を水平２倍伸張した画像である。そして、図１５の画像について、斜め補間処理１で斜め方向及び垂直方向の相関度を検出した結果が、図１６の画像及び図１７の画像である。
【００２７】
図１６の画像と図１７の画像とを比較すると、垂直方向の相関度が最も高くなっている。そのため、図１５の画像を斜め補間処理１で垂直２倍伸張すると、図１８の画像となる。図１８の画像では、斜め補間が良好に行われておらず、ジャギーが発生している。このように斜め補間が良好に行われないのは、３行３列の画素群である画素ブロック１２０，１３０による相関度の検出（すなわち、斜め補間処理１）が、エッジ線の傾角が大きい場合には適切でないからである。
【００２８】
そこで、画像伸張装置１では、図２に示されるように、最初に３×３ブロック相関演算部６による相関ベクトルの検出である斜め補間処理１を実行し、斜め補間処理１で検出された相関ベクトルが垂直方向となった場合に限り、３×１ブロック相関演算部７による相関ベクトルの検出である斜め補間処理２を改めて実行する。
【００２９】
斜め補間処理２では、補間対象画素１１０の上側に並ぶ３画素の輝度値（図８では、Ｐｕ５〜Ｐｕ７）、及び補間対象画素１１０の下側に並ぶ３画素の輝度値（図８では、Ｐｄ５〜Ｐｄ７）が利用されて、補間対象画素１１０の輝度値が補間される。
【００３０】
ブロック相関演算部７は、図１９に示されるように、画素ブロック（第２の画素ブロック）２２０，２３０を設定して、相関度が最大となる２つの画素ブロック２２０，２３０を３方向において探索する。画素ブロック２２０，２３０は、水平方向を行方向とし、垂直方向を列方向とすると、１行３列の画素群であり、補間対象画素１１０の両側に延在する１対の水平画素ラインＬａに含まれる各実画素を中心とする矩形状の画素群である。
【００３１】
画素ブロック２２０及び画素ブロック２３０をシフトさせる際に、画素ブロック２２０及び画素ブロック２３０は、３方向において、補間対象画素１１０を基準として互いに反対方向にあり、且つ、補間対象画素１１０から等距離にある関係を維持している。ブロック相関演算部７は、シフトされた３方向の各位置において、画素ブロック２２０及び画素ブロック２３０の相関度を算出し、画素ブロック２２０及び画素ブロック２３０の相関度が最大となる位置を探索する。この結果、図２０に示されるように、ブロック相関演算部７は、画素ブロック２２０及び画素ブロック２３０の相関度が最大となる位置を決定する。ブロック相関演算部７は、決定された画素ブロック２２０及び画素ブロック２３０の方向の情報を、相関ベクトルとして斜め補間部５に出力する。
【００３２】
斜め補間部５は、ブロック相関演算部７により演算された相関ベクトルを利用して、画素ブロック２２０及び画素ブロック２３０の位置を特定する。そして、斜め補間部５は、相関度が最大となる画素ブロック２２０及び画素ブロック２３０の輝度値を利用して、補間対象画素１１０の輝度値を補間する。具体的には、図２０に示されるように、斜め補間部５は、画素ブロック２２０の中心の画素の輝度値Ｐｕ７及び画素ブロック２３０の中心の画素の輝度値Ｐｄ７の平均値を、補間対象画素１１０の輝度値として算出する。その結果、図１５の画像を垂直２倍伸張した画像は、図２１に示される通りとなり、図１８の画像と図２１の画像とを比較すると、図２１の画像ではジャギーが抑えられている。
【００３３】
以上説明したように、３×１ブロック相関演算部７は、補間対象画素１１０の両側に延在する１対の水平画素ラインＬａ上において、補間対象画素１１０に対して互いに反対側に位置し、且つ補間対象画素１１０から略等距離に位置する１対の実画素のそれぞれを含む画素ブロック２２０，２３０間の相関度を３方向において演算して、その相関度が最も高くなる画素ブロック２２０，２３０のそれぞれに含まれる１対の実画素（上述した例では、輝度値Ｐｕ７及び輝度値Ｐｄ７）を基画素として検出する。そして、斜め補間部３は、３×３ブロック相関演算部６によって検出された基画素が垂直方向に位置する場合（すなわち、相関ベクトルが垂直方向となった場合）にのみ、３×１ブロック相関演算部７によって検出された基画素の輝度値（上述した例では、輝度値Ｐｕ７及び輝度値Ｐｄ７）に基づいて、補間対象画素１１０の輝度値を演算する。
［ライン選択処理］
【００３４】
図２に示されるように、画素選択部８は、上下補間部４によって補間された輝度値を有する補間対象画素１１０、又は斜め補間部５によって補間された輝度値を有する補間対象画素１１０を選択して補間ラインを生成する。ライン選択部９は、水平２倍スケーリング部２から出力された水平画素ライン、又は画素選択部８から出力された水平画素ラインを選択して出力画像を出力する。
【００３５】
以上のように構成された画像伸張装置１においては、斜め補間部３は、３行３列の画素ブロック１２０，１３０間の相関度を演算する３×３ブロック相関演算部６によって検出された基画素の輝度値に基づいて補間対象画素１１０の輝度値を演算し、３×３ブロック相関演算部６によって検出された基画素が垂直方向に位置する場合に限り、１行３列の画素ブロック２２０，２３０間の相関度を演算する３×１ブロック相関演算部７によって検出された基画素の輝度値に基づいて補間対象画素１１０の輝度値を演算する。このように、３行３列の画素ブロック１２０，１３０間の相関度の演算（斜め補間処理１）に続いて、１行３列の画素ブロック２２０，２３０間の相関度の演算（斜め補間処理２）を実行することで、入力画像において斜めに延びたエッジ線の傾角が大きい場合であっても、エッジ線の斜め方向を精度良く検出して、エッジ線にジャギーが発生するのを防止することができる。従って、画像伸張装置１によれば、補間対象画素の画素値の誤補間を抑制することが可能となる。
【００３６】
また、画素ブロック１２０，１３０は、３行３列の画素群であり、補間対象画素１１０の両側に延在する１対の水平画素ラインＬａに含まれる各実画素を中心とする矩形状の画素群である。同様に、画素ブロック２２０，２３０は、１行３列の画素群であり、補間対象画素１１０の両側に延在する１対の水平画素ラインＬａに含まれる各実画素を中心とする矩形状の画素群である。このように画像ブロックを設定することで、処理の簡便化を図ることができる。
【００３７】
なお、１行３列の画素ブロック２２０，２３０による相関度の演算（斜め補間処理２）を初めから実行すると、画像ブロックのサイズが小さいため、斜め方向の相関度の検出精度が低下するおそれがある。一方、３行３列の画素ブロック１２０，１３０による相関度の演算（斜め補間処理１）のみでは、上述したように垂直に近い斜め線で斜め方向の相関度の検出精度が低下する。そこで、３行３列の画素ブロック１２０，１３０による相関度の演算（斜め補間処理１）と、１行３列の画素ブロック２２０，２３０による相関度の演算（斜め補間処理２）とを組み合わせることで、より精度の良い相関度の検出が実現される。
【００３８】
本発明は、上述した実施形態に限定されるものではない。
【００３９】
例えば、画素ブロック１２０，１３０は３行３列の画素群に限定されず、同様に、画素ブロック２２０，２３０は１行３列の画素群に限定されない。画素ブロック１２０，１３０は、複数行、且つ複数列の画素群であればよく、このとき、画素ブロック２２０，２３０は、画素ブロック１２０，１３０よりも少ない数の行、且つ複数列の画素群であればよい。そして、画素ブロック１２０，１３０及び画素ブロック２２０，２３０は、必ずしも、補間対象画素１１０の両側に延在する１対の水平画素ラインＬａに含まれる各実画素を中心とする矩形状の画素群でなくてもよい。
【００４０】
また、画素ブロック１２０，１３０をシフトさせる方向は１１方向に限定されず、同様に、画素ブロック２２０，２３０をシフトさせる方向は３方向に限定されない。画素ブロック１２０，１３０及び画素ブロック２２０，２３０をシフトさせる方向は、画像のサイズ等に応じて適宜選択すればよい。
【００４１】
更に、画像伸張装置１は、水平方向及び垂直方向に伸張された画像を表示する表示パネルを備えていてもよい。以下、表示パネルを備える画像伸張装置１について説明する。
【００４２】
図２２は、図１の画像伸張装置を備えるテレビジョン装置の構成を示すブロック図である。図２２に示されるように、テレビジョン装置４０は、アンテナ素子から放送信号を供給されこれを復調して映像音声信号を出力するチューナ４１、この映像音声信号が供給され外部入力とのスイッチングを行うＡＶスイッチ（ＳＷ）部４３、及び映像信号が供給されると所定の映像信号処理を施してＹ信号と色差信号とに変換して出力する映像信号変換部４５を有している。更に、テレビジョン装置４０は、映像音声信号から音声信号を分離する音声抽出部５３、及びここからの音声信号を適宜増幅してスピーカ５７に供給するアンプ部５５を有している。
【００４３】
ここで、映像信号変換部４５から映像信号を供給される映像信号処理部４７には、上述した画像伸張装置１が適用される。ノンインターレース化された映像信号は、ＲＧＢプロセッサ４９によりＲＧＢ信号に分離され、ＣＲＴドライブ５１により適宜電力増幅されてＣＲＴ（表示パネル）５２により映像として表示される。
【図面の簡単な説明】
【００４４】
【図１】本発明に係る画像伸張装置の一実施形態の構成を示すブロック図である。
【図２】図１の画像伸張装置の垂直２倍スケーリング部の構成を示すブロック図である。
【図３】画像伸張装置に入力される入力画像を示す模式図である。
【図４】変換された入力画像を示す模式図である。
【図５】上下補間を説明するための模式図である。
【図６】理想的な補間状態を示す模式図である。
【図７】上下補間による補間状態を示す模式図である。
【図８】斜め補間を説明するための第１の模式図である。
【図９】斜め補間を説明するための第２の模式図である。
【図１０】斜め補間を説明するための第３の模式図である。
【図１１】斜め補間を説明するための第４の模式図である。
【図１２】斜め補間を説明するための第５の模式図である。
【図１３】斜め補間を説明するための第６の模式図である。
【図１４】斜め補間を説明するための第７の模式図である。
【図１５】斜め補間を説明するための第８の模式図である。
【図１６】斜め補間を説明するための第９の模式図である。
【図１７】斜め補間を説明するための第１０の模式図である。
【図１８】斜め補間を説明するための第１１の模式図である。
【図１９】斜め補間を説明するための第１２の模式図である。
【図２０】斜め補間を説明するための第１３の模式図である。
【図２１】斜め補間を説明するための第１４の模式図である。
【図２２】図１の画像伸張装置を備えるテレビジョン装置の構成を示すブロック図である。
【符号の説明】
【００４５】
１…画像伸張装置、５…斜め補間部（補間演算手段）、６…３×３ブロック相関演算部（第１の相関演算手段）、７…３×１ブロック相関演算部（第２の相関演算手段）、５２…ＣＲＴ（表示パネル）、１１０…補間対象画素、１２０，１３０…画素ブロック（第１の画素ブロック）、２２０，２３０…画素ブロック（第２の画素ブロック）、Ｌａ…水平画素ライン（実画素ライン）。
【図１】
2010010951.tif 000003
【図２】
2010010951.tif 000004
【図３】
2010010951.tif 000005
【図４】
2010010951.tif 000006
【図５】
2010010951.tif 000007
【図６】
2010010951.tif 000008
【図７】
2010010951.tif 000009
【図８】
2010010951.tif 000010
【図９】
2010010951.tif 000011
【図１０】
2010010951.tif 000012
【図１１】
2010010951.tif 000013
【図１２】
2010010951.tif 000014
【図１３】
2010010951.tif 000015
【図１４】
2010010951.tif 000016
【図１５】
2010010951.tif 000017
【図１６】
2010010951.tif 000018
【図１７】
2010010951.tif 000019
【図１８】
2010010951.tif 000020
【図１９】
2010010951.tif 000021
【図２０】
2010010951.tif 000022
【図２１】
2010010951.tif 000023
【図２２】
2010010951.tif 000024